(57)【要約】【課題】喫煙を感知するのでなく、喫煙者の位置情報に基づいて喫煙者が喫煙している場所が禁煙場所であることを表示する禁煙場所表示システムを提供する。【解決手段】本発明では、GPS情報から移動体通信端末が現在位置情報を取得し、この現在位置情報から禁煙場所特定サーバが禁煙場所であるか判定し、禁煙場所であると判定されると、移動体通信端末の画面に禁煙マークを表示するように動作する。【選択図】      図１
2006180238.tif 000002
【特許請求の範囲】
【請求項１】
GPS（Global Positioning System）装置を備えた移動体通信端末と、前記移動体通信端末の現在位置が禁煙場所かどうかを判定する禁煙場所特定サーバとから構成され、前記禁煙場所特定サーバが前記現在位置を禁煙場所と判定した場合、前記移動体通信端末に禁煙マークを表示することを特徴とする禁煙場所表示システム。
【請求項２】
GPS装置を備えた移動体通信端末と、前記移動体通信端末の現在位置情報が禁煙場所かどうかを判定する禁煙場所特定サーバとから構成される禁煙場所表示システムであって、
前記移動体通信端末は、人工衛星からのGPS情報すなわち前記移動体通信端末の前記現在位置情報を緯度経度情報として受信するGPS受信手段と、基地局を介して前記移動体通信端末の前記現在位置情報を送信し、禁煙場所判定結果を受信する無線通信手段と、前記無線通信手段から受け取った前記禁煙場所判定結果に従って禁煙場所であれば禁煙マークを前記移動体通信端末の画面に表示する禁煙場所表示手段とを備え、
前記禁煙場所特定サーバは、前記基地局を介して前記移動体通信端末の前記現在位置情報を受信し、前記禁煙場所判定結果を送信する通信手段と、禁煙場所情報を記憶する禁煙場所記憶手段と、標準時刻を発生する標準時刻発生手段と、前記現在位置情報から前記禁煙場所情報を検索し前記現在位置情報及び時刻が禁煙場所及び時刻かを判定し、前記禁煙場所判定結果を作成する禁煙場所判定手段とを備える
ことを特徴とする禁煙場所表示システム。
【請求項３】
GPS装置を備えた移動体通信端末の現在位置が禁煙場所かどうかを判定し、前記現在位置を禁煙場所と判定した場合、前記移動体通信端末に禁煙マークを表示することを特徴とする禁煙場所表示方法。
【請求項４】
移動体通信端末が、人工衛星からのＧＰＳ情報すなわち自移動体通信端末の現在位置情報を受信し、基地局を介して前記移動体通信端末の前記現在位置情報を禁煙場所特定サーバに送信し、前記禁煙場所特定サーバが、受信した前記現在位置情報に基づいて予め記憶した禁煙場所情報を検索して前記現在位置情報および時刻が禁煙場所および時刻に適合するかを判定し、当該判定結果を前記移動体通信端末に送信し、前記移動体通信端末が、受信した禁煙場所に係る前記判定結果が自移動体通信端末の現在位置が禁煙場所であるということを示している場合には、禁煙マークを自移動体通信端末の画面に表示する、ことを特徴とする禁煙場所表示方法。
【請求項５】
禁煙場所特定サーバに、ＧＰＳ装置を備えた移動体通信端末の現在位置が禁煙場所かどうかを判定し、前記現在位置を禁煙場所と判定した場合には、当該判定結果を前記移動体通信端末に送信して禁煙マークを表示させる、処理を行わせることを特徴とするプログラム。
【請求項６】
禁煙場所特定サーバに、ＧＰＳ装置を備えた移動体通信端末から当該移動体通信端末の現在位置情報を受信し、当該現在位置情報に基づいて予め記憶した禁煙場所情報を検索して当該現在位置情報および時刻が禁煙場所および時刻に適合するかを判定し、当該判定結果を前記移動体通信端末に送信して、当該判定結果が当該移動体通信端末の現在位置が禁煙場所であるということを示している場合には、禁煙マークを表示させる、処理を行わせることを特徴とするプログラム。
【発明の詳細な説明】
【技術分野】
【０００１】
本発明は、禁煙場所表示システム、禁煙場所表示方法、及び禁煙場所表示用プログラムに関し、特に、ＧＰＳ（Global Positioning System）情報により取得した移動体通信端末の位置情報からその地域の情報を検索し、現在位置が禁煙場所かどうかを判定し、禁煙場所であれば移動体通信端末に禁煙マークを自動表示する機能を有する禁煙場所表示システム、禁煙場所表示方法、及び禁煙場所表示用プログラムに関する。
【背景技術】
【０００２】
従来の禁煙場所表示方法の一例が特許文献１に記載されている。この従来の禁煙場所表示方法は、禁煙の場所に設置した禁煙表示器の周囲で喫煙した場合、その喫煙を感知して表示や警報によって告知することができる禁煙表示器を提供する。
【０００３】
【特許文献１】特開２０００−７５８２７号公報（第２頁（[0006]〜[0007]、図９）
【発明の開示】
【発明が解決しようとする課題】
【０００４】
上述した従来の禁煙場所表示器にあっては、喫煙を風向き等の何らかの原因で感知できなかった場合に、禁煙場所で喫煙している喫煙者に警告できないという問題点がある。
【０００５】
本発明の目的は、上述した従来の課題を解決するために、喫煙を感知するのでなく、喫煙者の位置情報に基づいて喫煙者が喫煙している場所が禁煙場所であることを表示する禁煙場所表示システム、禁煙場所表示方法、及び禁煙場所表示用プログラムを提供することにある。
【課題を解決するための手段】
【０００６】
GPS（Global Positioning System）装置を備えた移動体通信端末と、前記移動体通信端末の現在位置が禁煙場所かどうかを判定する禁煙場所特定サーバとから構成され、前記禁煙場所特定サーバが前記現在位置を禁煙場所と判定した場合、前記移動体通信端末に禁煙マークを表示することを特徴とする。
【０００７】
また、本発明の禁煙場所表示システムは、GPS装置を備えた移動体通信端末と、前記移動体通信端末の現在位置情報が禁煙場所かどうかを判定する禁煙場所特定サーバとから構成される禁煙場所表示システムであって、
前記移動体通信端末は、人工衛星からのGPS情報すなわち前記移動体通信端末の前記現在位置情報を緯度経度情報として受信するGPS受信手段と、基地局を介して前記移動体通信端末の前記現在位置情報を送信し、禁煙場所判定結果を受信する無線通信手段と、前記無線通信手段から受け取った前記禁煙場所判定結果に従って禁煙場所であれば禁煙マークを前記移動体通信端末の画面に表示する禁煙場所表示手段とを備え、
前記禁煙場所特定サーバは、前記基地局を介して前記移動体通信端末の前記現在位置情報を受信し、前記禁煙場所判定結果を送信する通信手段と、禁煙場所情報を記憶する禁煙場所記憶手段と、標準時刻を発生する標準時刻発生手段と、前記現在位置情報から前記禁煙場所情報を検索し前記現在位置情報及び時刻が禁煙場所及び時刻かを判定し、前記禁煙場所判定結果を作成する禁煙場所判定手段とを備える。
【０００８】
さらに、本発明の禁煙場所表示方法は、GPS装置を備えた移動体通信端末の現在位置が禁煙場所かどうかを判定し、前記現在位置を禁煙場所と判定した場合、前記移動体通信端末に禁煙マークを表示することを特徴とする。
【０００９】
さらに、本発明の禁煙場所表示方法は、移動体通信端末が、人工衛星からのＧＰＳ情報すなわち自移動体通信端末の現在位置情報を受信し、基地局を介して前記移動体通信端末の前記現在位置情報を禁煙場所特定サーバに送信し、前記禁煙場所特定サーバが、受信した前記現在位置情報に基づいて予め記憶した禁煙場所情報を検索して前記現在位置情報および時刻が禁煙場所および時刻に適合するかを判定し、当該判定結果を前記移動体通信端末に送信し、前記移動体通信端末が、受信した禁煙場所に係る前記判定結果が自移動体通信端末の現在位置が禁煙場所であるということを示している場合には、禁煙マークを自移動体通信端末の画面に表示する、ことを特徴とする。
【発明の効果】
【００１０】
第1の効果は、喫煙者の居る場所が禁煙場所か明確に判断できることにある。
【００１１】
その理由は、喫煙者の周囲の状況に関わらず、禁煙場所では移動体通信端末に禁煙マークが表示されるため、禁煙場所であるということを明確に判断することができるためである。
【００１２】
第２の効果は、禁煙場所についての社会的な認識が上がることにある。
【００１３】
その理由は、身近な生活用品である携帯電話を代表する移動体通信端末に、禁煙場所で禁煙マークが表示されるため、禁煙場所について大きな宣伝効果があるためである。
【発明を実施するための最良の形態】
【００１４】
次に、本発明の実施の形態について図面を参照して詳細に説明する。
【００１５】
本発明の一実施の形態の構成を示す図１を参照すると、この実施の形態の禁煙場所表示システムは、移動体通信端末１００と、禁煙場所特定サーバ１１０とを含む。
【００１６】
移動体通信端末１００と禁煙場所特定サーバ１１０とは、それぞれプログラム制御により、以下に説明する処理を行う。
【００１７】
移動体通信端末１００は、図３のように、GPS受信手段１０１と無線通信手段１０２と禁煙場所表示手段１０３とを備える。
【００１８】
GPS受信手段１０１は、人工衛星１０からのGPS情報すなわち移動体通信端末１００が現在存在している位置である現在位置情報を緯度経度情報として受信し、無線通信手段１０２に送信する。
【００１９】
無線通信手段１０２は、移動体通信網に設けられた基地局２０との間で無線信号を送受信する。移動体通信端末１００の現在位置を示すGPS情報を基地局２０に送信し、基地局２０から禁煙場所判定結果を受信し、禁煙場所表示手段１０３に送信する。
【００２０】
禁煙場所表示手段１０３は、無線通信手段１０２から受け取った禁煙場所判定結果に従って、禁煙場所であれば禁煙マークを移動体通信端末１００の画面に図２のように表示する。禁煙場所ではない場合は、禁煙マークを表示しない。
【００２１】
禁煙場所特定サーバ１１０は、図４に示すように、通信手段１１１と禁煙場所判定手段１１２と禁煙場所記憶手段１１３と標準時刻発生手段１１４とを備える。
【００２２】
通信手段１１１は、基地局２０と交信し、移動体通信端末１００の現在位置情報であるGPS情報を受信し、禁煙場所判定手段１１２に送信する。また、禁煙場所判定手段１１２が作成した禁煙場所判定結果を基地局２０に送信する。
【００２３】
禁煙場所記憶手段１１３は、禁煙場所情報を記憶する。図６を参照して、禁煙場所情報の詳細を説明する。禁煙場所情報は、禁煙場所名、禁煙場所、禁煙時刻から構成されている。禁煙場所名は、禁煙場所の名称を表し、数字指定でも良い。禁煙場所欄には、例えば、禁煙場所１では、
Ａ：北緯35度38分48秒,東経139度33分55秒、
Ｂ：北緯35度38分53秒,東経139度33分55秒、
Ｃ：北緯35度38分53秒,東経139度33分65秒、
Ｄ：北緯35度38分48秒,東経139度33分65秒、
のＡＢＣＤで囲まれた地域を表す。禁煙場所２では、緯度経度をあらわすＥＦＧＨで建物の外観を指定している。禁煙時刻は、喫煙禁止時刻帯を表している。
【００２４】
禁煙場所判定手段１１２は、通信手段１１１から受け取ったGPS情報に基づいて禁煙場所記憶手段１１３を検索し、移動体通信端末１００の現在位置情報すなわちGPS情報が禁煙場所であるか判定し、禁煙場所判定結果を作成し、通信手段１１１に返信する。
【００２５】
図７を参照して、移動体通信端末１００の現在位置情報すなわちGPS情報が禁煙場所であるかの判定方法を説明する。移動体通信端末１００の現在位置情報をＸ（北緯35度38分52秒、東経139度33分57秒）とする。Ｘの緯度経度とＡ，Ｂ，Ｃ，Ｄの緯度経度とを比較して、ＸがABCDで囲まれる範囲内に有れば、現在、移動体通信端末１００は、禁煙場所に位置していると判断する。
【００２６】
禁煙時刻の判断は、標準時刻発生手段１１４から送信される標準時刻と禁煙場所記憶手段１１３の禁煙時刻とを比較して判断する。
【００２７】
次に、図５のフローチャートを参照して、本実施の形態の全体の動作について詳細に説明する。
【００２８】
まず、人工衛星１０が作成したGPS情報を、移動体通信端末１００に送信する（図５ステップA1）。
【００２９】
GPS受信手段１０１は、GPS情報すなわち移動体通信端末１００の現在位置情報を受信し、無線通信手段１０２に送信する（ステップB1）。現在位置情報は、無線通信手段１０２により、基地局２０に送信される（ステップB2）。
【００３０】
基地局２０は、受信した現在位置情報を、禁煙場所特定サーバ１１０に送信する（ステップC1）。
【００３１】
禁煙場所特定サーバ１１０の通信手段１１１は、基地局２０から現在位置情報を取得し、禁煙場所判定手段１１２に送信する（ステップD1）。禁煙場所判定手段１１２は、現在位置情報と現在時刻とで禁煙場所記憶手段１１３の禁煙場所と禁煙時刻のデータとを検索し、移動体通信端末１００の現在位置情報が現在時刻において禁煙場所であるか判定し、禁煙場所判定結果を作成する（ステップD2）。禁煙場所判定結果は、通信手段１１１により、基地局２０に送信する（ステップD3）。
【００３２】
基地局２０は、禁煙場所特定サーバ１１０から受け取った禁煙場所判定結果を、移動体通信端末１００に送信する（ステップC2）。
【００３３】
移動体通信端末１００は、無線通信手段１０４により禁煙場所判定結果を受信する（ステップB3）。禁煙場所判定結果が禁煙場所・禁煙時刻の場合は、禁煙場所表示手段１０３は、図２のようにディスプレイに禁煙マークを表示する。禁煙場所判定結果が禁煙場所・禁煙時刻でない場合は、禁煙マークを表示しない。
【００３４】
本発明では、禁煙地区だけでなく、ビル内、ホームなどの禁煙場所においても同様の処理を行う。
【図面の簡単な説明】
【００３５】
【図１】本発明の一実施の形態における移動体通信端末と禁煙場所特定サーバとの位置関係を示した図である。
【図２】携帯電話に禁煙マークが表示される図である。
【図３】この実施の形態における移動体通信端末の構成を示す図である。
【図４】この実施の形態における禁煙場所特定サーバの構成を示す図である。
【図５】この実施の形態の動作を示す流れ図である。
【図６】この実施の形態における禁煙場所記憶手段の内容の具体例を示す図である。
【図７】この実施の形態における禁煙場所判定手段を説明する図である。
【符号の説明】
【００３６】
１０    人工衛星
２０    基地局
１００    移動体通信端末
１０１    GPS受信手段
１０２    無線通信手段
１０３    禁煙場所表示手段
１１０    禁煙場所特定サーバ
１１１    通信手段
１１２    禁煙場所判定手段
１１３    禁煙場所記憶手段
１１４    標準時刻発生手段
【図１】
2006180238.tif 000003
【図２】
2006180238.tif 000004
【図３】
2006180238.tif 000005
【図４】
2006180238.tif 000006
【図５】
2006180238.tif 000007
【図６】
2006180238.tif 000008
【図７】
2006180238.tif 000009